(57)【特許請求の範囲】
【請求項１】
吸収体が所定位置に固定されたおむつ本体を備える紙おむつであって、
前記おむつ本体には、着用者の腹側及び背側に位置する腹側部及び背側部が設けられ、
前記おむつ本体の幅方向に伸縮自在に構成され、前記背側部の幅方向側の一端部から延出して着用者の腹周りに沿って配設される本体部と、この本体部の先端側に設けられ、前記背側部の幅方向側の他端部に着脱自在に止着される背側部止着部とを有する第１止着手段と、
前記第１止着手段の前記本体部と前記腹側部とを着脱自在に止着する第２止着手段と、を備え、
前記第２止着手段は、
前記第１止着手段の前記本体部に前記幅方向に移動自在に設けられ、
前記本体部と着脱自在に止着される本体部止着部と、前記腹側部と着脱自在に止着される腹側部止着部と、を有することを特徴とする紙おむつ。
【請求項２】
前記第２止着手段は、
前記本体部に外挿され、当該本体部の前記腹周りに沿う延在方向を軸心として回動自在な環状部材であり、
前記環状部材の前記本体部側の面に前記本体部止着部が設けられ、前記環状部材の前記本体部と反対側の面に前記腹側部止着部が設けられていることを特徴とする請求項１に記載の紙おむつ。
【請求項３】
前記本体部止着部及び前記腹側部止着部は、前記環状部材における前記本体部に対する前側及び後側のうち、何れか一側に配設されていることを特徴とする請求項２に記載の紙おむつ。
【請求項４】
前記腹側部止着部は、前記本体部を前後に挟むように前記環状部材に二つ設けられ、
前記二つの腹側部止着部のうち、一の腹側部止着部は、前記腹側部における前記本体部と前記着用者の肌との間に配設される部分と止着され、他の腹側部止着部は、前記腹側部における前記本体部の上側にて前記着用者の肌と反対側に折り返された部分と止着されることを特徴とする請求項２又は３に記載の紙おむつ。
【発明の詳細な説明】
【技術分野】
【０００１】
本発明は、紙おむつに関する。
【背景技術】
【０００２】
従来、吸収性物品としての紙おむつには、背側部の幅方向側の両端部から延在するファスナーテープ等の止着部材を具備し、当該止着部材を腹側部の所定の被止着部に止着させるように構成されたものがある（例えば、特許文献１参照）。
また、止着部材の一部分に伸縮性を具備させることで、止着部材が止着される位置を調整可能に構成されたものも知られている。
【先行技術文献】
【特許文献】
【０００３】
【特許文献１】特開２００４−１９５０８３号公報
【発明の概要】
【発明が解決しようとする課題】
【０００４】
ところで、上記特許文献１の場合、紙おむつを着用者の身体に装着する際に、背側部の幅方向側の両端部の各々から延在する２つの止着部材を所定の被止着部に止着させなければならず、その作業が煩雑となっている。
また、紙おむつの着用後、当該着用者の肌の状態や紙おむつ内に排泄された排泄物の状態を確認する場合、止着部材と被止着部との止着を一旦解除しなければならず、使い勝手が悪いといった問題がある。なお、止着部材の一部分に伸縮性を具備させたとしても、止着部材と被止着部との止着を一旦解除しなければならないことには変わりはない。
【０００５】
そこで、本発明の課題は、着用者の身体に対する装着性を向上させることができるとともに、着用者の肌や排泄物の状態の確認を容易に行うことができる紙おむつを提供することである。
【課題を解決するための手段】
【０００６】
上記課題を解決するため、請求項１に記載の発明は、
吸収体が所定位置に固定されたおむつ本体を備える紙おむつであって、
前記おむつ本体には、着用者の腹側及び背側に位置する腹側部及び背側部が設けられ、
前記おむつ本体の幅方向に伸縮自在に構成され、前記背側部の幅方向側の一端側から延出して着用者の腹周りに沿って配設される本体部と、この本体部の先端側に設けられ、前記背側部の幅方向側の他端部に着脱自在に止着される背側部止着部とを有する第１止着手段と、
前記第１止着手段の前記本体部と前記腹側部とを着脱自在に止着する第２止着手段、とを備え、
前記第２止着手段は、
前記第１止着手段の前記本体部に前記幅方向に移動自在に設けられ、
前記本体部と着脱自在に止着される本体部止着部と、前記腹側部と着脱自在に止着される腹側部止着部と、を有することを特徴としている。
【０００８】
請求項２に記載の発明は、請求項１に記載の紙おむつにおいて、
前記第２止着手段は、
前記本体部に外挿され、当該本体部の前記腹周りに沿う延在方向を軸心として回動自在な環状部材であり、
前記環状部材の前記本体部側の面に前記本体部止着部が設けられ、前記環状部材の前記本体部と反対側の面に前記腹側部止着部が設けられていることを特徴としている。
【０００９】
請求項３に記載の発明は、請求項２に記載の紙おむつにおいて、
前記本体部止着部及び前記腹側部止着部は、前記環状部材における前記本体部に対する前側及び後側のうち、何れか一側に配設されていることを特徴としている。
【００１０】
請求項４に記載の発明は、請求項２又は３に記載の紙おむつにおいて、
前記腹側部止着部は、前記本体部を前後に挟むように前記環状部材に二つ設けられ、
前記二つの腹側部止着部のうち、一の腹側部止着部は、前記腹側部における前記本体部と前記着用者の肌との間に配設される部分と止着され、他の腹側部止着部は、前記腹側部における前記本体部の上側にて前記着用者の肌と反対側に折り返された部分と止着されることを特徴としている。
【発明の効果】
【００１１】
本発明によれば、第１止着手段の本体部を幅方向に伸張させるようにして、着用者の身体の腹周りに沿って配設し、背側部止着部を背側部の幅方向側の他端部に止着させた後、第２止着手段により第１止着手段の本体部と腹側部とを止着するだけで、当該紙おむつを着用者の身体に簡単に装着することができる。また、紙おむつの装着後には、第２止着手段による第１止着手段の本体部と腹側部との止着を解除して、腹側部が手前側に開いた状態とすることができ、第１止着手段による背側部止着部と背側部の幅方向側の他端部との止着を解除したり、おむつ本体を着用者の身体から取り外すことなく、着用者の肌の状態や紙おむつ内に排泄された排泄物の状態を容易に確認することができる。
従って、着用者の身体に対する装着性を向上させることができるとともに、着用者の肌や排泄物の状態の確認を容易に行うことができる。
【図面の簡単な説明】
【００１２】
【図１】本発明を適用した吸収性物品として例示する一実施形態の紙おむつの展開図である。
【図２】図１のII−II線における紙おむつの要部断面図である。
【図３】図１の紙おむつを組み立てた状態を示す斜視図である。
【図４】図１の紙おむつの止着ベルト部を腹周りに沿って配設した状態を模式的に示す図である。
【図５】図１の紙おむつを組み立てた状態における止着ベルト部及び腹側部の要部断面図である。
【図６】変形例１の紙おむつの止着ベルト部を腹周りに沿って配設した状態を模式的に示す図である。
【図７】図６の紙おむつを組み立てた状態を示す斜視図である。
【図８】変形例２の紙おむつの止着ベルト部を腹周りに沿って配設した状態を模式的に示す図である。
【図９】図８の紙おむつを組み立てた状態を示す斜視図である。
【図１０】図８の紙おむつを組み立てた状態における止着ベルト部及び腹側部の要部断面図である。
【発明を実施するための形態】
【００１３】
以下に、本発明について、図面を用いて具体的な態様を説明する。ただし、発明の範囲は、図示例に限定されない。
【００１４】
図１は、本発明を適用した一実施形態の紙おむつ１００の展開図であり、図２は、図１のII−II線における紙おむつ１００の要部断面図である。また、図３は、紙おむつ１００を組み立てた状態を示す斜視図である。
【００１５】
本実施形態の紙おむつ１００は、例えば、止着ベルト部２０を所定位置に止着することで着用者に装着され、装着状態にて着用者の股下部１３を腹側から背側にかけて覆うように形成される止着式の紙おむつ１００である（図３参照）。
なお、以下の説明にあっては、着用者の背側から股下を通って腹側に亘る方向を長手方向Ｘとし、長手方向Ｘに略直交する一の方向を幅方向Ｙとする。
【００１６】
具体的には、図１〜図３に示すように、紙おむつ１００は、おむつ本体である本体部１０と、この本体部１０を着用者に装着するための止着ベルト部２０とを備えて構成されている。
【００１７】
本体部１０の長手方向Ｘの一方の端部（図１における下端部）には、着用者の腹側に配置されて腹周りを被覆する腹側部１１が形成され、他方の端部（図１における上端部）には、着用者の背側に配置されて背周りを被覆する背側部１２が形成され、腹側部１１と背側部１２との間に、着用者の股間部を被覆する股下部１３が形成されている。
【００１８】
背側部１２は、股下部１３よりも幅方向Ｙ外側に突出するように形成されている。また、背側部１２の幅方向Ｙ側の一端部（例えば、図１における左端部）には、止着ベルト部２０が配設されている。
止着ベルト部２０は、後述するように、着用者の腹周りに沿うように配設されて、背側部１２の幅方向Ｙ側の他端部（例えば、図１における右端部）に止着される（図５参照）。さらに、止着ベルト部２０の環状部材３０により腹側部１１が止着されることで、当該紙おむつ１００が着用者に装着された状態となる（図３参照）。
なお、止着ベルト部２０の詳細な構成については、後述する。
【００１９】
背側部１２には、例えば、糸ゴム等の弾性部材（図示略）が幅方向Ｙに沿って配設され、この弾性部材により平面ギャザーが形成されている。これにより、紙おむつ１００の使用の際に、着用者の胴周りにて、当該紙おむつ１００が伸縮自在となるように構成されている。
【００２０】
また、股下部１３の幅方向Ｙ側の両縁部の各々には、腹側部１１の幅方向Ｙ側の各端部から股下部１３を通り背側部１２の幅方向Ｙ側の各端部に亘って、紙おむつ１００の着用者の脚周りを囲む一対の脚周り部１４、１４が形成されている。
一対の脚周り部１４、１４には、例えば、糸ゴム等の複数の弾性部材１４ａ、…が当該脚周り部１４の湾曲形状に合わせてそれぞれ設けられている。そして、弾性部材１４ａにより平面ギャザーが形成され、着用者の脚周りに伸縮自在にフィットし、横漏れを防止するようになっている。
【００２１】
また、本体部１０は、着用者の身体との接触面側に設けられる透液性の不織布からなるトップシート１５と、装着時に身体との接触面と反対側の外部側に設けられる不透液性のバックシート１６と、トップシート１５とバックシート１６との間に介装される吸収体１７と、トップシート１５側の吸収体１７の両側部に、本体部１０の長手方向Ｘに沿って備えられるギャザーシート１８、１８とを備えている。
【００２２】
トップシート１５は、尿などの体液を速やかに透過させる透液性を有する素材から形成され、体液を受けて、吸収体１７まで輸送する機能を有する。
トップシート１５は、不織布が好適に用いられ、具体的には、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものが用いられる。
【００２３】
バックシート１６は、吸収体１７を固定する外装体を構成している。また、バックシート１６は、不透液性を有する素材から形成され、体液などの紙おむつ１００外部への染み出し、漏れ出しを防ぐ機能を有する。
バックシート１６は、トップシート１５と同様に不織布が好適に用いられる。なお、バックシート１６は、例えば、ポリエチレンやポリプロピレン等の少なくとも遮水性を有するシート材であって、ムレ防止の観点から透湿性を有するシート材であることが好ましい。
なお、トップシート１５及びバックシート１６の間に、ポリエチレンフィルムからなるシート材を挟むこととしても良い。
【００２４】
吸収体１７は、腹側部１１の所定位置から股下部１３を通って背側部１２の所定位置に亘るように配設されている（図１参照）。また、吸収体１７は、例えば、当該紙おむつ１００の形状に対応させるように、股下部１３及び腹側部１１側が背側部１２側に対して幅狭に形成されている。
この吸収体１７は、紙おむつ１００の使用時に体液としての尿等の水様成分を吸収するものである。具体的には、吸収体１７は、例えば、綿やパルプ等の吸収性素材や、繊維或いはフィルム等のシート状基材と高吸収性ポリマーのような高吸水性樹脂とが組み合わされて形成された吸収体コア１７ａが、透液性のクレープ紙、不織布、孔開きシート等の被覆部材１７ｂにより覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
【００２５】
ギャザーシート１８は、トップシート１５側において、吸収体１７の長手方向Ｘに沿った両側部に、腹側部１１から背側部１２に亘ってそれぞれ備えられている。
ギャザーシート１８の幅方向Ｙ外側の部分は、吸収体１７の側方でトップシート１５の上面に固着されている。また、ギャザーシート１８の幅方向Ｙ内側の部分は、トップシート１５に固定されておらず、その長手方向Ｘに沿って複数の弾性部材（例えば、糸ゴム等）１８ａ、…が略平行に備えられており、断面略「く」字状及び逆「く」字状に立ち上がって着用者の体型に合わせて伸縮自在に変形可能な立体ギャザーが形成されている（図２参照）。
【００２６】
なお、ギャザーシート１８の間には、インナーパッドを配置しても良い。
インナーパッドは、例えば、尿取りパッド、失禁パッド等であり、体液の吸収に対して紙おむつ１００を補助するためのものであるとともに、紙おむつ１００自体の取り替え頻度を少なくすることにより使用コストを抑えるためのものでもある。
【００２７】
次に、止着ベルト部２０について、図１、図４及び図５を参照して詳細に説明する。
図４は、止着ベルト部２０を腹周りに沿って配設した状態を模式的に示す図である。また、図５は、図１の紙おむつ１００を組み立てた状態における止着ベルト部２０及び腹側部１１の要部断面図である。
【００２８】
止着ベルト部２０は、図１に示すように、背側部１２の幅方向Ｙ側の一端部（例えば、図１における左端部）に幅方向Ｙ外側に延出するように配設されている。具体的には、止着ベルト部２０は、幅方向Ｙに長尺なベルト本体部２１と、このベルト本体部２１の先端部に形成された止着部配設部２２と、ベルト本体部２１に外挿された環状部材３０とを備えている。
【００２９】
ベルト本体部２１は、基端部が背側部１２の幅方向Ｙ側の一端部に固定され、当該一端部から延出して着用者の腹周りに沿って配設されるようになっている（図４参照）。
また、ベルト本体部２１は、幅方向Ｙに伸縮自在に構成されている。即ち、ベルト本体部２１は、例えば、２枚の不織布によって弾性部材（例えば、糸ゴム等）が狭持されることで形成された伸縮部２１ａを有している。
伸縮部２１ａとしては、糸ゴムや弾性発泡体の帯状物、フィルム状の弾性体、ネット状の弾性体等を使用でき、特に、多数の糸ゴムを胴回り方向（幅方向Ｙ）に沿って複数本平行に設けるのが好ましい。具体的には、太さ310〜1240dtex好ましくは310〜620dtex程度の糸ゴムを3〜6mm間隔で5〜15本程度、伸張率は150〜350％、好ましくは200〜300％程度で固定することが好ましい。なお、伸張率とは、伸縮部２１ａの自然長に対する伸張後の長さの関係を表している。
また、伸縮部２１ａの幅方向Ｙの長さは、例えば、伸張時の幅方向Ｙの寸法が腹側部１１の幅方向Ｙの長さの1.0〜1.5倍、特に1.0〜1.3倍が好ましい。
なお、不織布と弾性部材との貼り合わせ方法としては、例えば、ビード塗工などが適用されるが、一例であってこれに限られるものではなく、適宜任意に変更可能である。
なお、ベルト本体部２１を構成する素材については後述する。
【００３０】
ベルト本体部２１の伸縮部２１ａの先端部、即ち、背側部１２に固定されている当該ベルト本体部２１の基端部と反対側の端部に、背側部止着部２２ａが配設された止着部配設部２２が設けられている。
止着部配設部２２は、例えば、不織布等により形成され、当該止着部配設部２２の自由端部は、幅方向Ｙに突出した凸形状に形成されている。そして、止着部配設部２２の凸部分の内面、即ち、背側部１２の外面側の面に、例えば、所定の接着剤により背側部止着部２２ａが接着固定されている。
なお、止着部配設部２２を先細りの凸形状に形成するようにしたが、当該止着部配設部２２の形状は一例であってこれに限られるものではなく、適宜任意に変更可能である。例えば、止着部配設部２２をベルト本体部２１の長手方向Ｘの長さよりも長い幅を有するような形状とすることで、背側部止着部２２ａの止着面積をより広くするように構成しても良い。
【００３１】
背側部止着部２２ａは、例えば、略矩形状に形成され、面ファスナのオス材の係止要素である、鉤状、きのこ状、錨状等の多数の突起が形成されたフック材が設けられている。そして、背側部止着部２２ａは、バックシート１６の外面（着用者の身体と反対側の面）における背側部１２の所定位置に形成された背側部被止着部１２ａに止着される（図４参照）。
【００３２】
ここで、背側部被止着部１２ａは、背側部１２の幅方向Ｙ側の他端部の外面（着用者の身体と反対側の面）側に設けられ、背側部止着部２２ａを係止するためのメス材の係止要素を構成している。
具体的には、背側部被止着部１２ａは、例えば、係止用不織布により構成され、基材シートに背側部止着部２２ａのフック材と機械的に係合するループ状の繊維であるループ材（図示省略。）が配置されて構成されている。なお、係止用不織布としては、例えば、ポリエチレン、ポリプロピレン、ポリエチレンテレフタレート、ナイロンなど、広く知られた汎用性の高い可塑性素材からなる単組成の素材若しくは複合組成の素材を用いることができる。また、背側部被止着部１２ａとバックシート１６は、一体として同様の素材から構成しても良いし、背側部被止着部１２ａのみをバックシート１６と異なる素材から構成しても良い。
【００３３】
従って、背側部止着部２２ａは、背側部１２の幅方向Ｙ側の他端部に設けられた背側部被止着部１２ａに着脱自在に止着可能となっている。
このように、背側部止着部２２ａのベルト本体部２１と背側部止着部２２ａは、第１止着手段を構成している。
【００３４】
環状部材３０は、ベルト本体部２１に緩く外挿されている（図５参照）。即ち、環状部材３０の内周面の長さは、例えば、ベルト本体部２１の長手方向Ｘの長さ（上下幅）の２倍よりも長くなっており、これにより、環状部材３０は、当該ベルト本体部２１の腹周りに沿う延在方向（幅方向Ｙ）を軸心として回動自在となっているとともに、当該ベルト本体部２１にて幅方向Ｙに移動自在となっている。
【００３５】
また、環状部材３０は、ベルト本体部２１と腹側部１１とを着脱自在に止着するものである。具体的には、環状部材３０は、例えば、周方向に略等しい幅を有する部材であり、ベルト本体部２１と着脱自在に止着される本体部止着部３１と、腹側部１１と着脱自在に止着される腹側部止着部３２とを有している（図５参照）。
【００３６】
本体部止着部３１は、環状部材３０の内面、即ち、ベルト本体部２１側の面に、例えば、所定の接着剤により接着固定されている。
本体部止着部３１は、例えば、略矩形状に形成され、背側部止着部２２ａと同様に、面ファスナのオス材の係止要素である、鉤状、きのこ状、錨状等の多数の突起が形成されたフック材が設けられている。そして、本体部止着部３１は、ベルト本体部２１の一面（例えば、着用者側の面）の所定位置に止着される（図５参照）。
ここで、ベルト本体部２１は、背側部被止着部１２ａと同様に、例えば、係止用不織布により構成され、本体部止着部３１を係止するためのメス材の係止要素を構成している。
【００３７】
従って、本体部止着部３１は、ベルト本体部２１に着脱自在に止着可能となっている。
ここで、環状部材３０は、ベルト本体部２１にて幅方向Ｙに移動自在に構成されているため、当該環状部材３０をベルト本体部２１における幅方向Ｙの任意の位置に移動させることで、本体部止着部３１は、ベルト本体部２１における幅方向Ｙの任意の位置に止着自在となっている。
また、環状部材３０は、幅方向Ｙに延在する軸心周りに回動自在に構成されているため、当該環状部材３０を所定方向に略180度回動させることで、本体部止着部３１は、ベルト本体部２１の前後両面の何れか一面に止着自在となっている。
【００３８】
腹側部止着部３２は、環状部材３０の外面、即ち、ベルト本体部２１と反対側の面に、例えば、所定の接着剤により接着固定されている。
腹側部止着部３２は、例えば、略矩形状に形成され、背側部止着部２２ａと同様に、面ファスナのオス材の係止要素である、鉤状、きのこ状、錨状等の多数の突起が形成されたフック材が設けられている。そして、腹側部止着部３２は、腹側部１１の所定位置に形成された腹側部被止着部１１ａに止着される（図５参照）。
【００３９】
腹側部被止着部１１ａは、腹側部１１の外面の略全域に亘って設けられている。また、腹側部被止着部１１ａは、例えば、係止用不織布により構成され、腹側部止着部３２を係止するためのメス材の係止要素を構成している。
従って、腹側部止着部３２は、腹側部被止着部１１ａに着脱自在に止着可能となっている。
【００４０】
このように、環状部材３０は、止着ベルト部（第１止着手段）２０のベルト本体部２１と腹側部１１とを着脱自在に止着する第２止着手段を構成している。
【００４１】
また、本体部止着部３１及び腹側部止着部３２は、環状部材３０の内外面にて、当該環状部材３０の径方向（例えば、図５における前後方向）に互いに重なり合わないように配設されている。これにより、環状部材３０の径方向の厚さが厚くなり過ぎて、当該紙おむつ１００を装着する着用者の装着感の低下を防止している。
さらに、本体部止着部３１の一端部（例えば、図５における下端部）から腹側部止着部３２の本体部止着部３１と反対側の端部（例えば、図５における上端部）までの長手方向Ｘの長さが、止着ベルト部２０のベルト本体部２１の長手方向Ｘの長さ（上下幅）よりも小さくなっている。これにより、環状部材３０を所定方向に略180度回動させることで、本体部止着部３１及び腹側部止着部３２を止着ベルト部２０の前側及び後側のうち、何れか一側にのみ配設可能となっている。
【００４２】
次に、紙おむつ１００の着用者の身体に対する装着方法について説明する。
【００４３】
先ず、最初の装着時において、紙おむつ１００の背側部１２を着用者の身体の背側に当接させるようにして、当該紙おむつ１００を着用者の身体の下側に載置する。
次に、背側部１２の幅方向Ｙ側の一端部に設けられた止着ベルト部２０のベルト本体部２１の伸縮部２１ａを幅方向Ｙに伸張させるようにして、着用者の身体の腹周りに沿って配設し、背側部止着部２２ａを背側部１２の幅方向Ｙ側の他端部に設けられた背側部被止着部１２ａに止着させる。従って、ベルト本体部２１の伸縮部２１ａの伸縮性によって、着用者の胴周りにて着用者の体型に合わせて伸縮自在に変形し、着用者の身体に密着するようになっている。
このとき、腹側部止着部３２が着用者の身体と反対側に位置するように環状部材３０を所定方向に回動させておいても良く、これにより、止着ベルト部２０を着用者の身体の腹周りに沿って配設する際に、腹側部止着部３２が着用者の肌と接触するのを防止することができる。
【００４４】
続けて、環状部材３０のベルト本体部２１における幅方向Ｙの位置を着用者の身体の中心に合わせるように調整した後、本体部止着部３１をベルト本体部２１の後面の所定位置に止着する。これにより、環状部材３０がベルト本体部２１の所定位置に固定された状態となる。
その後、股下部１３を股下に当接させながら腹側部１１を腹側に引き上げていき、ベルト本体部２１と着用者の肌との間に、腹側部１１の中心を着用者の身体の中心に合わせながら当該腹側部１１を配置させる。そして、環状部材３０の腹側部止着部３２を腹側部１１の腹側部被止着部１１ａに止着させる。
なお、ベルト本体部２１と着用者の肌との間に、腹側部１１を配置させた後、環状部材３０の本体部止着部３１をベルト本体部２１の後面の所定位置に止着するとともに、腹側部止着部３２を腹側部１１の腹側部被止着部１１ａに止着させても良い。
【００４５】
紙おむつ１００の装着後にて、着用者の肌の状態や紙おむつ１００内に排泄された排泄物の状態を確認したり、インナーパッドを取り替える場合には、環状部材３０の腹側部止着部３２と腹側部被止着部１１ａとの止着を解除し、腹側部１１を股下側に引き抜いて当該腹側部１１が手前側に開いた状態とする。これにより、紙おむつ１００の内側や着用者の肌の状態を確認可能な状態となる。
その後、腹側部１１を元の状態に戻す場合には、上記と同様に、股下部１３を股下に当接させながら腹側部１１を腹側に引き上げていき、止着ベルト部２０のベルト本体部２１と着用者の肌との間に腹側部１１を配置させ、環状部材３０の腹側部止着部３２を腹側部１１の腹側部被止着部１１ａに止着させる。
【００４６】
以上のように、本実施形態の紙おむつ１００によれば、止着ベルト部２０のベルト本体部２１を幅方向Ｙに伸張させるようにして、着用者の身体の腹周りに沿って配設し、背側部止着部２２ａを背側部１２の幅方向Ｙ側の他端部の背側部被止着部１２ａに止着させた後、環状部材３０によりベルト本体部２１と腹側部１１とを止着するだけで、当該紙おむつ１００を着用者の身体に簡単に装着することができる。特に、背側部止着部２２ａを背側部１２の背側部被止着部１２ａに止着させることで当該紙おむつ１００を着用者の胴周りに固定することができるため、起立した状態の着用者に対しても当該紙おむつ１００を簡便に装着することができる。
また、紙おむつ１００の装着後には、環状部材３０による止着ベルト部２０のベルト本体部２１と腹側部１１との止着を解除して、腹側部１１を股下側に引き抜いて当該腹側部１１が手前側に開いた状態とすることができ、止着ベルト部２０による背側部止着部２２ａと背側部１２の幅方向Ｙ側の他端部との止着を解除したり、当該紙おむつ１００の本体部１０を着用者の身体から取り外すことなく、着用者の肌の状態や紙おむつ１００内に排泄された排泄物の状態を容易に確認することができる。
従って、当該紙おむつ１００の着用者の身体に対する装着性を向上させることができるとともに、着用者の肌や排泄物の状態の確認を容易に行うことができる。
【００４７】
また、環状部材３０は、ベルト本体部２１に幅方向Ｙに移動自在に設けられ、本体部止着部３１とベルト本体部２１の所定位置とを止着し、腹側部止着部３２と腹側部１１の腹側部被止着部１１ａとを止着するので、当該環状部材３０をベルト本体部２１における幅方向Ｙの任意の位置に移動させて、本体部止着部３１をベルト本体部２１における幅方向Ｙの任意の位置に止着することができる。
【００４８】
以下に、紙おむつ１００の変形例について説明する。
＜変形例１＞
図６は、変形例１の紙おむつ２００の止着ベルト部２２０を腹周りに沿って配設した状態を模式的に示す図である。また、図７は、紙おむつ２００を組み立てた状態を示す斜視図である。
なお、変形例１の紙おむつ２００は、以下に説明する止着ベルト部２２０の構成以外の点で上記実施形態におけるものと同様であるので、その説明を省略する。
【００４９】
変形例１の紙おむつ２００の止着ベルト部２２０には、図６及び図７に示すように、環状部材３０が所定間隔を空けて二つ設けられている。具体的には、二つの環状部材３０、３０は、止着ベルト部２２０のベルト本体部２１の基端部側及び先端部側にそれぞれ配設されている。
そして、これらの環状部材３０、３０を所定方向に略180度回動させることで、本体部止着部３１及び腹側部止着部３２が止着ベルト部２２０の前側（着用者の身体に対して遠い位置）に配設された状態では、腹側部１１の内面を構成するトップシート１５の所定位置を腹側部被止着部として、腹側部止着部３２と着脱自在に止着可能となっている。
【００５０】
即ち、紙おむつ２００を着用者に装着する際には、上記実施形態と同様に、止着ベルト部２２０のベルト本体部２１を着用者の身体の腹周りに沿って配設し、背側部止着部２２ａを背側部被止着部１２ａに止着させる。そして、環状部材３０の本体部止着部３１をベルト本体部２１の前面の所定位置に止着した後、腹側部１１をベルト本体部２１と着用者の肌との間に配置するのではなく、止着ベルト部２２０の二つの環状部材３０、３０の各腹側部止着部３２に腹側部１１を手前側から載せるようにして当該腹側部１１の内面の所定位置と腹側部止着部３２とを止着させる（図７参照）。
また、紙おむつ２００の装着後にて、着用者の肌の状態や紙おむつ２００内に排泄された排泄物の状態を確認したり、インナーパッドを取り替える場合には、腹側部１１を手前側に引くだけで、環状部材３０の腹側部止着部３２と腹側部１１との止着を解除して、当該腹側部１１が手前側に開いた状態とする。
【００５１】
なお、本体部止着部３１及び腹側部止着部３２が止着ベルト部２２０の後側（着用者の身体に対して近い位置）に配設された状態では、上記実施形態と同様に、腹側部１１の外面の腹側部被止着部１１ａと腹側部止着部３２とが着脱自在に止着可能となっている。
【００５２】
従って、変形例１の紙おむつ２００によれば、環状部材３０のベルト本体部２１に対する前側及び後側のうち、何れか一側に本体部止着部３１及び腹側部止着部３２が配設されているので、当該環状部材３０の各々を所定方向に略180度回動させることで、本体部止着部３１及び腹側部止着部３２を止着ベルト部２２０の前側に配設された状態や後側に配設された状態とすることができる。
特に、本体部止着部３１及び腹側部止着部３２を止着ベルト部２２０の前側に配設された状態とすることで、各腹側部止着部３２に腹側部１１を手前側から載せるだけで当該腹側部１１の内面の所定位置と腹側部止着部３２とを簡便に止着させることができる。また、紙おむつ２００の装着後にて、腹側部１１を手前側に引くだけで、各環状部材３０の腹側部止着部３２と腹側部１１との止着を解除して、当該腹側部１１が手前側に開いた状態とすることができ、着用者の肌の状態や紙おむつ２００内に排泄された排泄物の状態の確認や、インナーパッドの取り替え作業をより簡便に行うことができる。
【００５３】
なお、上記実施形態及び変形例１にあっては、本体部止着部３１及び腹側部止着部３２を、環状部材３０にてベルト本体部２１に対する前側及び後側のうち、何れか一側に配設するようにしたが、一例であってこれに限られるものではなく、本体部止着部３１及び腹側部止着部３２の配設位置は適宜任意に変更可能である。
【００５４】
＜変形例２＞
図８は、変形例２の紙おむつ３００の止着ベルト部３２０を腹周りに沿って配設した状態を模式的に示す図である。また、図９は、紙おむつ３００を組み立てた状態を示す斜視図である。また、図１０は、紙おむつ３００を組み立てた状態における止着ベルト部３２０及び腹側部３１１の要部断面図である。
なお、変形例２の紙おむつ３００は、以下に説明する止着ベルト部３２０及び腹側部３１１の構成以外の点で上記実施形態におけるものと同様であるので、その説明を省略する。
【００５５】
変形例２の紙おむつ３００は、図８〜図１０に示すように、環状部材３３０にベルト本体部２１を前後に挟むように腹側部止着部３２ａ、３２ｂが二つ設けられている。
即ち、図１０に示すように、一の腹側部止着部３２ａと本体部止着部３１が止着ベルト部３２０のベルト本体部２１に対して後側に配設され、他の腹側部止着部３２ｂがベルト本体部２１に対して前側に配設されている。
なお、二つの腹側部止着部３２ａ、３２ｂは、環状部材３３０の径方向（例えば、図１０における前後方向）に互いに重なり合わないように配設されているのが好ましく、これにより、環状部材３３０の径方向の厚さが厚くなり過ぎて、当該紙おむつ３００を装着する着用者の装着感の低下を防止することができる。
【００５６】
また、腹側部３１１は、長手方向Ｘの長さが上記実施形態におけるものよりも長くなっている。即ち、腹側部３１１の長手方向Ｘの長さを所定の長さ長くすることで、当該腹側部３１１の腹側部被止着部１１ａに止着される一の腹側部止着部３２ａの長手方向Ｘの位置を調整可能となる。これにより、紙おむつ３００の装着状態にて、当該紙おむつ３００の背側から腹側に亘る股下周りの長さを調整して、当該股下周りの長さが異なる着用者に対応可能となっている。
つまり、股下周りの長さを十分に確保しておくことで、当該股下周りの長さが相対的に短い着用者、即ち、身体の小さい着用者から、当該股下周りの長さが相対的に長い着用者、即ち、身体の大きい着用者まで対応可能となる。
【００５７】
そして、二つの腹側部止着部３２ａ、３２ｂのうち、ベルト本体部２１に対して後側に配設された一の腹側部止着部３２ａは、腹側部３１１におけるベルト本体部２１と着用者の肌との間に配設される部分と止着され、一方、ベルト本体部２１に対して前側に配設された他の腹側部止着部３２ｂは、腹側部３１１におけるベルト本体部２１の上側にて着用者の肌と反対側に折り返された部分と止着されるようになっている。
即ち、紙おむつ３００を着用者に装着する際には、上記実施形態と同様に、止着ベルト部３２０のベルト本体部２１を着用者の身体の腹周りに沿って配設し、背側部止着部２２ａを背側部被止着部１２ａに止着させる。そして、環状部材３３０の本体部止着部３１をベルト本体部２１の前面の所定位置に止着した後、股下部１３を股下に当接させながら腹側部３１１を腹側に引き上げていき、ベルト本体部２１と着用者の肌との間に、腹側部３１１の中心を着用者の身体の中心に合わせながら当該腹側部３１１を配置させる。このとき、腹側部３１１の長手方向Ｘの長さに対して着用者の腹側の上下方向の長さが短い場合には、腹側部３１１の先端側がベルト本体部２１の上端よりも突出したような状態となる（図８参照）。
そして、ベルト本体部２１の後側の一の腹側部止着部３２ａを腹側部３１１の腹側部被止着部１１ａに止着させた後、腹側部３１１のベルト本体部２１の上端よりも突出した部分を着用者の肌と反対側に折り返し、当該折り返された部分の腹側部被止着部１１ａとベルト本体部２１の前側の他の腹側部止着部３２ｂとを止着させる（図９及び図１０参照）。
【００５８】
従って、変形例２の紙おむつ３００によれば、環状部材３３０にベルト本体部２１を前後に挟むように腹側部止着部３２ａ、３２ｂが二つ設けられているので、ベルト本体部２１に対して後側に配設された一の腹側部止着部３２ａを腹側部３１１の腹側部被止着部１１ａに止着させることができるとともに、ベルト本体部２１に対して前側の他の腹側部止着部３２ｂを腹側部３１１におけるベルト本体部２１の上側にて着用者の肌と反対側に折り返された部分の腹側部被止着部１１ａに止着させることができる。これにより、背側から腹側に亘る股下周りの長さが異なる着用者に対応可能となるように腹側部３１１の長手方向Ｘの長さが長くされた紙おむつ３００であっても、腹側部３１１のベルト本体部２１の上端よりも突出した部分が余った状態とならずに、所定位置に固定されることで当該紙おむつ３００の装着感を向上させることができる。
【００５９】
なお、本発明は、上記実施形態に限定されることなく、本発明の趣旨を逸脱しない範囲において、種々の改良並びに設計の変更を行っても良い。
例えば、上記実施形態にあっては、第２止着手段として、止着ベルト部２０、２２０、３２０のベルト本体部２１に外挿された環状部材３０、３３０を例示したが、一例であってこれに限られるものではなく、止着ベルト部２０のベルト本体部２１に対して幅方向Ｙに移動自在な構成であれば適宜任意に変更可能である。
さらに、第２止着手段を止着ベルト部２０、２２０、３２０（第１止着手段）に設けるようにしたが、一例であってこれに限られるものではなく、止着ベルト部２０のベルト本体部２１と腹側部１１、３１１とを着脱自在に止着する構成であれば適宜任意に変更可能である。即ち、例えば、腹側部１１、３１１の内面や外面に止着ベルト部２０のベルト本体部２１と着脱自在な止着部（例えば、面ファスナ等）を設けるようにしても良い。
【００６０】
また、上記実施形態にあっては、環状部材３０を一つ設け、各変形例にあっては、環状部材３０（３３０）を二つ設けるようにしたが、環状部材３０の個数は一例であってこれに限られるものではなく、適宜任意に変更可能である。
さらに、各環状部材３０における本体部止着部３１及び腹側部止着部３２（３２ａ、３２ｂ）の個数は一例であって上記したものに限られるものではなく、適宜任意に変更可能である。
【符号の説明】
【００６１】
１００、２００、３００  紙おむつ
１０    本体部
１１、３１１  腹側部
１２    背側部
１３    股下部
１５    トップシート
１６    バックシート
１７    吸収体
２０、２２０、３２０  止着ベルト部（第１止着手段）
２１    ベルト本体部
２２ａ  背側部止着部
３０、３３０  環状部材（第２止着手段）
３１    本体部止着部
３２、３２ａ、３２ｂ  腹側部止着部
【図１】
0005567964.tif 000002
【図２】
0005567964.tif 000003
【図３】
0005567964.tif 000004
【図４】
0005567964.tif 000005
【図５】
0005567964.tif 000006
【図６】
0005567964.tif 000007
【図７】
0005567964.tif 000008
【図８】
0005567964.tif 000009
【図９】
0005567964.tif 000010
【図１０】
0005567964.tif 000011